(57)【特許請求の範囲】
【請求項１】
矩形の板と、
矩形の板の側面に設けられた雄実部と、
雄実部が設けられた側面とは反対側の側面に設けられた雌実部とを有し、
一の矩形の板に設けられた前記雄実部と、他の矩形の板に設けられた前記雌実部とを、互いに接合させることで施工される建材であって、
前記雄実部と前記矩形の板の表側の面との間に、前記雄実部の上方から前記矩形の板の表側の面に向かって、内側に傾斜する、前記雄実部の表側の面と一連の面として設けられた第一の傾斜面と、
前記雌実部と前記矩形の板の表側の面との間に、前記第一の傾斜面と略平行である、前記雌実部の表側の面と一連の面として設けられた第二の傾斜面と、
前記第二の傾斜面の上方から、矩形の板の表側の面に向かって内側に傾斜する第三の傾斜面と、
前記雄実部と前記矩形の板の裏側の面との間に、前記雄実部の下方から前記矩形の板の裏側の面に向かって、内側に傾斜する、前記雄実部の表側の面と一連の面として設けられた第四の傾斜面と、
前記雌実部と前記矩形の板の裏側の面との間に、前記第四の傾斜面と略平行である、前記雌実部の表側の面と一連の面として設けられた第五の傾斜面と、
前記第五の傾斜面の下方から、矩形の板の裏側の面に向かって内側に傾斜する第六の傾斜面とを有し、
一の矩形の板に設けられた前記雄実部と、他の矩形の板に設けられた前記雌実部とを、互いに接合させたときに、一の前記矩形の板の前記第一の傾斜面と、他の前記矩形の板の前記第三の傾斜面との間及び、一の前記矩形の板の前記第四の傾斜面と、他の前記矩形の板の前記第六の傾斜面との間にＶ溝が形成されることを特徴とする建材。
【発明の詳細な説明】
【技術分野】
【０００１】
本願発明は、建材の構造に関するものである。特に、建材同士の接触部分の構造に関するものである。
【背景技術】
【０００２】
従来から、図６に示す床材１０１が知られている（特許文献１）。図６は、嵌合された２つの床材１０１が収縮した状態の側面図である。床材１０１は、隣接した二側面に雄実部１０３が、他の二側面に雌実部１０４が施されたものである。さらには、雄実部１０３の上面から床材１０１の表側の面にいたる雄実上部当接面と、雌実部１０４の上面から床材１０１の表側の面にいたる雌実上部当接面とが、床材１０１の表側の面に対して略垂直である。
【先行技術文献】
【特許文献】
【０００３】
【特許文献１】特開２００９−５２２４４号公報
【発明の概要】
【発明が解決しようとする課題】
【０００４】
しかしながら、床材１０１では、床材１０１が収縮したときに、雄実部１０３の上面が見える。そのため、床材１０１ａと床材１０１ｂとの間に目隙が生じると、溝の底は目立ち、美観が損なわれるという問題があった。本願発明は、上記背景技術に鑑みてなされたもので、その課題は、建材が収縮しても、目隙が目立ちにくい建材を提供することである。
【課題を解決するための手段】
【０００５】
上記課題を解決するために、本願発明の建材では、矩形の板と、矩形の板の側面に設けられた雄実部と、雄実部が設けられた側面とは反対側の側面に設けられた雌実部とを有し、一の矩形の板に設けられた前記雄実部と、他の矩形の板に設けられた前記雌実部とを、互いに接合させることで施工される建材であって、前記雄実部と前記矩形の板の表側の面との間に、前記雄実部の上方から前記矩形の板の表側の面に向かって、内側に傾斜する、前記雄実部の表側の面と一連の面として設けられた第一の傾斜面と、前記雌実部と前記矩形の板の表側の面との間に、前記第一の傾斜面と略平行である、前記雌実部の表側の面と一連の面として設けられた第二の傾斜面と、前記第二の傾斜面の上方から、矩形の板の表側の面に向かって内側に傾斜する第三の傾斜面と、前記雄実部と前記矩形の板の裏側の面との間に、前記雄実部の下方から前記矩形の板の裏側の面に向かって、内側に傾斜する、前記雄実部の表側の面と一連の面として設けられた第四の傾斜面と、前記雌実部と前記矩形の板の裏側の面との間に、前記第四の傾斜面と略平行である、前記雌実部の表側の面と一連の面として設けられた第五の傾斜面と、前記第五の傾斜面の下方から、矩形の板の裏側の面に向かって内側に傾斜する第六の傾斜面とを有し、一の矩形の板に設けられた前記雄実部と、他の矩形の板に設けられた前記雌実部とを、互いに接合させたときに、一の前記矩形の板の前記第一の傾斜面と、他の前記矩形の板の前記第三の傾斜面との間及び、一の前記矩形の板の前記第四の傾斜面と、他の前記矩形の板の前記第六の傾斜面との間にＶ溝が形成されることを特徴とする建材とした。
【発明の効果】
【０００７】
本願発明の建材は、一の建材の表側の面と他の建材の表側の面との間に目隙が生じても、目隙が目立ちにくいので、美観が損なわれにくくなる。
【図面の簡単な説明】
【０００８】
【図１】本願発明の第一の実施形態における建材の側面図
【図２】本願発明の第一の実施形態における建材と建材とが接合された状態の側面図
【図３】本願発明の第一の実施形態における接合された建材が収縮した状態の側面図
【図４】本願発明の第二の実施形態における建材の側面図
【図５】本願発明の第二の実施形態における接合された建材が収縮した状態の側面図
【図６】従来の嵌合された床材が収縮した状態の側面図
【発明を実施するための形態】
【０００９】
［第１の実施形態］
以下、本願発明の第１の実施形態に係る建材１の構造を、図１を用いて説明する。次に、建材１ａと建材１ｂとが接合された状態を、図２を用いて説明する。次に、接合された建材１が収縮した状態を、図３を用いて説明する。
【００１０】
本実施形態の建材１は、矩形の板２と、矩形の板２の側面に設けられた雄実部３と、雄実部３が設けられた側面とは反対側の側面に設けられた雌実部４とを有し、一の矩形の板２ａに設けられた雄実部３ａと、他の矩形の板２ｂに設けられた雌実部４ｂとを、互いに接合させることで施工される建材であって、雄実部３と矩形の板２の表側の面との間に、雄実部３の上方から矩形の板２の表側の面に向かって、内側に傾斜する第一の傾斜面５と、雌実部４と矩形の板２の表側の面との間に、第一の傾斜面５と略平行である第二の傾斜面６と、第二の傾斜面６の上方から、矩形の板２の表側の面に向かって内側に傾斜する第三の傾斜面７とを有し、一の矩形の板２ａに設けられた雄実部３ａと、他の矩形の板２ｂに設けられた雌実部４ｂとを、互いに接合させたときに、一の矩形の板２ａの第一の傾斜面５ａと、他の矩形の板２ｂの第三の傾斜面７ｂとの間にＶ溝８が形成されるものである。また、一の矩形の板２ａの第一の傾斜面５ａと、他の矩形の板２ｂの第二の傾斜面６ｂとが接触している場合において、一の矩形の板２ａの裏側の面と、他の矩形の板２ｂの裏側の面との間に溝９が形成されるものである。
【００１１】
図１に示す建材１は、矩形の板２と、矩形の板２の側面に設けられた雄実部３と、雄実部３が設けられた側面とは反対側の側面に設けられた雌実部４とを有している。矩形の板２は、上部材２１と下部材２２とで構成されている。上部材２１には、主にＭＤＦ（Ｍｅｄｉｕｍ  Ｄｅｎｓｉｔｙ  Ｆｉｂｅｒｂｏａｒｄ）等の表側の面が平滑で硬質な材料が使用されており、その表側の面には化粧単板やプラスチックシートあるいは塗装等の表側の面化粧が施されている。上部材２１としては、無垢の厚い板材が用いられることもある。下部材２２は合板やパーチクルボードといった強度と厚みのある材料が使用されている。建材１の全体の厚みは１２〜１５ｍｍが一般的である。上部材２１と下部材２２とは、面同士が接着一体化されている。
【００１２】
雄実部３は、矩形の板２の側面に設けられる。一方、雌実部４は、雄実部３が設けられた矩形の板２の側面とは反対側の側面に設けられている。本実施形態においては、雄実部３と雌実部４とは、それぞれ矩形の板２を構成する下部材２２に設けられている。雄実部３は、略三角柱を形成している。一方、雌実部４は、雄実部３と接合できるように形成されており、略三角柱を形成している。
【００１３】
なお、矩形の板２の側面であれば、雄実部３と雌実部４とは、それぞれ上部材２１に設けられてもよいし、上部材２１と下部材２２とを跨いで設けられてもよい。
【００１４】
建材１は、第一の傾斜面５を有する。第一の傾斜面５は、雄実部３の上方から、矩形の板２の表側の面（上部材２１の表側の面）に向かって、内側に傾斜する。本実施形態において、第一の傾斜面５の表側の面と、雄実部３の上部の表側の面とは、一連の面になっている。
【００１５】
このように、雄実部３の表側の面と第一の傾斜面５とを一連の面にすることで、切削する面を減らすことができる。したがって、建材１を切削する工程が減り、建材１の製造を簡易にすることができる。
【００１６】
建材１は、第二の傾斜面６を有する。第二の傾斜面６は、雌実部４の上方から、上部材２１と下部材２２との境目（雌実部４と矩形の板２の表側の面との略中央部）まで形成されている。そして、第二の傾斜面６は、雌実部４の上方から、上部材２１と下部材２２との境目に向かって、外側の傾斜を有するものである。本実施形態において、第二の傾斜面６の表側の面と、雌実部４の上部の表側の面とは、一連の面になっている。したがって、上記同様に、建材１の製造を簡易にすることができる。
【００１７】
さらに、建材１は、上部材２１と下部材２２との境目から、矩形の板２の表側の面に向かって、内側に傾斜する第三の傾斜面７を有する。
【００１８】
さらには、建材１は、雄実部３の下方から、矩形の板２の裏側の面まで内側に傾斜する第四の傾斜面１０を有している。さらには、建材１は、雌実部４の下方と矩形の板２の裏側の面との略中央部まで、外側の傾斜を有する第五の傾斜面１１を有する。第五の傾斜面１１は、第四の傾斜面１０と、略平行になるように形成されている。さらには、建材１は、雌実部４と反対側の第五の傾斜面１１の端から、矩形の板２の裏側の面まで、内側の傾斜を有する第六の傾斜面１２を有する。
【００１９】
なお、第四の傾斜面１０の表側の面と、雄実部３の表側の面とは、一連になっている。また、第五の傾斜面１１の表側の面と、雌実部４の表側の面とは、一連になっている。したがって、上記同様に、建材１の製造を簡易にすることができる。
【００２０】
図２に示すように、一の矩形の板２ａの第一の傾斜面５ａと、他の矩形の板２ｂの第二の傾斜面６ｂとが接触している場合において、一の矩形の板２ａの裏側の面と、他の矩形の板２ｂの裏側の面との間に溝９が形成される構造を、建材１は有する。
【００２１】
このような構造を建材１が有することで、建材１は湿度の変化等により収縮しても、凹反りと凸反りとを、それぞれすることができる。したがって、建材１ａと建材２ａとは、無理なく滑らかに密着するので、馴染みが良くなる。
【００２２】
なお、凹反りとは、建材１の表側の面を上向きとして、建材１を単独で水平面においた際、建材１の両端部が持ち上がったものをいう。一方、これとは逆に、凸反りとは、建材１の表側の面を上向きとして、建材１を単独で水平面においた際、建材１の中央部が持ち上がったものをいう。
【００２３】
なお、一の建材１ａの裏側の面と、他の建材１ｂの裏側の面との間の溝９も、Ｖ溝であることが好ましい。溝９の形状がＶ溝８の形状に似ていると、建材１は凹反りと凸反りとを、それぞれ、さらにしやすいからである。
【００２４】
図３に示すように、建材１が湿度の変化等により収縮すると、雄実部３ａと雌実部４ｂとは、接触しなくなる。しかしながら、建材１が収縮しても、本実施形態では建材１ａと建材１ｂとの間に、建材１が収縮する前と同様に、Ｖ溝８が形成されている。そのため、建材１の表側の面側から建材１を見ると、建材１ａと建材１ｂとの間のＶ溝８の底は、建材１が収縮する前と同様に、線に見える。したがって、建材１ａと建材１ｂとの間に目隙が生じても、Ｖ溝８の底は目立たず、美観はあまり損なわれない。
【００２５】
［第２の実施形態］
次に、本願発明の第２の実施形態に係る建材２０１の構造を、図４を用いて説明する。さらに、建材２０１が収縮した状態について図５を用いて説明する。本実施形態においては、第一の実施形態と異なる点についてのみ説明する。
【００２６】
建材２０１の雄実部２０３は、凸部を形成している。より具体的には、雄実部２０３は略四角柱になっている。一方、雌実部２０４は、凹部を形成しており、雄実部２０３と接合できる形状になっている。
【００２７】
一方、本実施形態における建材２０１は、第六の傾斜面１２が設けられていない。その代わりに、第五の傾斜面２１１が、雌実部２０４の下方から、矩形の板２０２の裏側の面まで内側に傾斜している。
【００２８】
図５に示すように、湿度の変化等により、建材２０１が収縮すると、雄実部２０３と雌実部２０４とは接触しない部分が生じる。しかしながら、建材２０１が収縮しても、建材２０１ａの表側の面と建材２０１ｂの表側の面との間に、Ｖ溝２０８が形成されている。建材２０１の表側の面側から建材２０１を見ると、建材２０１ａと建材２０１ｂとの間に形成されるＶ溝２０８の底は、線に見える。したがって、建材２０１ａの表側の面と建材２０１ｂの表側の面との間に目隙が生じても、美観が損なわれることはない。
【００２９】
なお、第五の傾斜面２１１は、溝２０９が形成されれば、建材２０１の裏側の面に対して略垂直であっても、外側に傾斜する傾斜面でもよい。
【符号の説明】
【００３０】
１  建材
２  矩形の板
３  雄実部
４  雌実部
５  第一の傾斜面
６  第二の傾斜面
７  第三の傾斜面
８  Ｖ溝
９  溝
２１  上部材
２２  下部材
【図１】
0005585386.tif 000002
【図２】
0005585386.tif 000003
【図３】
0005585386.tif 000004
【図４】
0005585386.tif 000005
【図５】
0005585386.tif 000006
【図６】
0005585386.tif 000007